(57)【要約】【課題】大きさに関係なく、一人の人間によって楽に開くことが可能な折り畳み式反射器の提供。【解決手段】本発明は、ベアリング本体（７）に対して、環状に取り付けられた傘のスポーク（５）を有し、これらスポークによって反射カバー（３）を取り付けることが可能な折り畳み式反射器（１）に関する。この反射器は、結合部分に向けて曲げられたスポーク（５）の端部が、上記の結合部分を越えてそれぞれ延びており、上記の結合部分を越えて延びるスポーク（５）の部分（９）に対する作用によって、上記の部分（９）が取り付け位置となるように動き、また元に戻ることができるように構成されている。【選択図】図１
2014516424.tif 000002
【特許請求の範囲】
【請求項１】
ベアリング本体（７）に円状に接合された複数のリブ（５）を有し、前記リブによって反射キャノピー（３）が開くように構成された折り畳み式反射器（１）において、
前記リブ（５）は、その接合部位に面する端部において前記接合部位を越えてそれぞれ延びており、前記接合部位を越えて延びる前記リブ（５）の部分（９）に作用が及ぶことによって、開いた位置と折り畳まれた位置との間で移動可能に構成されていることを特徴とする、折り畳み式反射器。
【請求項２】
前記接合部位を越えて延びる前記リブ（５）の前記部分（９）に及ぼされる作用が、圧力リング（１１）である圧力プレートによってもたらされ、前記圧力リング（１１）と前記ベアリング本体（７）とが互いに対して移動可能であることを特徴とする、請求項１に記載の折り畳み式反射器。
【請求項３】
前記圧力プレート（１１）と前記ベアリング本体（７）との間の相対的な移動が、ガイドボルト（１３）を備える作動デバイス（１５）によってもたらされ、前記ガイドボルト（１３）が、一方では前記ベアリング本体（７）に取り付けられ、他方では、前記作動デバイス（１５）が前記ガイドボルト（１３）に沿う前記圧力プレートの移動をもたらすように前記圧力プレートに取り付けられていることを特徴とする、請求項１または請求項２に記載の折り畳み式反射器。
【請求項４】
前記作動デバイス（１５）が、前記ガイドボルト（１３）に接続された、手動で操作可能なレバーまたはモータで操作可能なレバーである、レバー（１７）を有し、前記レバーによって前記圧力プレートの移動がもたらされることを特徴とする、請求項３に記載の折り畳み式反射器。
【請求項５】
前記ベアリング本体（７）が、アクセサリ（２５）および／またはスタンド（３３）を取り付けるためのアダプタ部品（２３）に接続されているか、または、そのようなアダプタ部品（２３）と一体的に形成されていることを特徴とする、請求項３または請求項４に記載の折り畳み式反射器。
【請求項６】
前記アダプタ部品（２３）が、照明デバイスの取り付けが可能なように構成されていることを特徴とする、請求項５に記載の折り畳み式反射器。
【請求項７】
前記ベアリング本体（７）における前記接合部位を越えて延びる前記リブ（５）の前記部分（９）が、前記ベアリング本体（７）と、前記圧力プレートまたは前記圧力リング（１１）との間でクランプされていることを特徴とする、請求項２〜請求項６のいずれか一項に記載の折り畳み式反射器。
【請求項８】
前記ベアリング本体（７）が環状であることを特徴とする、請求項１〜請求項７のいずれか一項に記載の折り畳み式反射器。
【請求項９】
前記リブ（５）が、前記ベアリング本体（７）の中に放射状に配置され、前記ベアリング本体の周辺面に向かって開口している、スロット（１０）の中で接合されていることを特徴とする、請求項８に記載の折り畳み式反射器。
【請求項１０】
前記接合部位を越えて延びる前記リブ（５）の前記部分（９）に及ぼされる作用が、前記部分（９）の自由端に作用するケーブル、ロープによってもたらされ、前記ケーブル、ロープによって前記部分（９）が手動またはモータによって放射状に内側に引かれ得ることを特徴とする、請求項１に記載の折り畳み式反射器。
【請求項１１】
前記リブ（５）が、前記開いた位置で固定され得る、請求項１〜請求項１０のいずれか一項に記載の折り畳み式反射器。
【請求項１２】
前記ベアリング本体（７）における前記接合部位を越えて延びる前記リブ（５）の前記部分（９）が、前記リブの残り部分に比べて拡大した径を有することを特徴とする、請求項１〜請求項１１のいずれか一項に記載の折り畳み式反射器。
【請求項１３】
前記リブ（５）が、前記リブ（５）に接続される補強用リブを有していないことを特徴とする、請求項１〜請求項１２のいずれか一項に記載の折り畳み式反射器。
【請求項１４】
前記ベアリング本体（７）が、スタンドに直接的または間接的に取り付けられ得ることを特徴とする、請求項１〜請求項１３のいずれか一項に記載の折り畳み式反射器。
【請求項１５】
前記反射キャノピー（３）が、前記リブ（５）を受け入れるために前記反射キャノピー（３）の外側の面に縫い目を有しているか、または、前記反射キャノピー（３）の内側の面に、リング状部材、好ましくはゴム製のリング部材からなる固定手段を有していることを特徴とする、請求項１〜請求項１４のいずれか一項に記載の折り畳み式反射器。
【請求項１６】
鳩目である固定手段を有し、前記固定手段によって前記反射器が吊るされ得ることを特徴とする、請求項１〜請求項１５のいずれか一項に記載の折り畳み式反射器。
【請求項１７】
前記反射キャノピー（３）が金属箔であることを特徴とする、請求項１〜請求項１６のいずれか一項に記載の折り畳み式反射器。
【請求項１８】
少なくとも８本か１２本、特に１６本、好ましくは２４本のリブ（５）を有することを特徴とする、請求項１〜請求項１７のいずれか一項に記載の折り畳み式反射器。
【請求項１９】
前記リブ（５）が、ガラス繊維強化プラスチック、炭素繊維強化プラスチック、および／または、特に鋼鉄である金属で作られていることを特徴とする、請求項１〜請求項１８のいずれか一項に記載の折り畳み式反射器。
【請求項２０】
長手方向に移動可能となるように取り付けられた支持体の場合に、前記支持体によって光源が前記反射キャノピー（３）の内部を同軸方向に移動し得るように、前記光源用の一部構成または複部構成のロッド状の支持体（２９、２９’）が、長手方向に移動可能となるように前記ベアリング本体（７）を貫通して延びることを特徴とする、請求項１〜請求項１９に記載の折り畳み式反射器。
【請求項２１】
前記光源が、前記開いた反射器（１）における長手方向の中心軸の上に位置するように前記ロッド状の支持体（２９、２９’）の端面に配置されていることを特徴とする、請求項２０に記載の折り畳み式反射器。
【請求項２２】
前記光源が、長手方向に移動可能となるように前記支持体（２９、２９’）の上に取り付けられていることを特徴とする、請求項２０に記載の折り畳み式反射器。
【請求項２３】
前記圧力プレートと前記ベアリング本体（７）との間の相対的な移動が、電磁式駆動手段、空気圧式駆動手段、または油圧式駆動手段による機械式作動デバイスによって行われることを特徴とする、請求項１〜請求項２２のいずれか一項に記載の折り畳み式反射器。
【請求項２４】
前記作動デバイス（１５）が、ねじ部を有するボルト（４５）に沿う前記圧力プレートの移動を行うことを特徴とする、請求項１〜請求項２３のいずれか一項に記載の折り畳み式反射器。
【請求項２５】
前記圧力プレートを移動させるための前記作動デバイス（１５）が、手動で操作されるプラネタリーギア、またはモータ駆動のプラネタリーギアの形態であることを特徴とする、請求項１〜請求項２４のいずれか一項に記載の折り畳み式反射器。
【請求項２６】
前記作動デバイス（１５）が、外側のねじ山（６３）を有するガイドチューブ（６５）を有し、前記ガイドチューブが、前記ベアリング本体（７）に回転しないように取り付けられているとともに、前記圧力プレートに回転可能に取り付けられた管状部品（５９）の内側にねじの切られた部分（６１）とともに動作することを特徴とする、請求項１〜請求項２５のいずれか一項に記載の折り畳み式反射器。
【請求項２７】
前記管状部品（５９）が、機械的に操作可能であるか、または、特にハンドル（４４）によって手動で操作可能であることを特徴とする、請求項１〜請求項２６のいずれか一項に記載の折り畳み式反射器。
【請求項２８】
その傘の内部に音源／光源を設置して使用する折り畳み式反射器の使用方法。
【発明の詳細な説明】
【技術分野】
【０００１】
本発明は、請求項１に代表される折り畳み式反射器、及び、折り畳み式反射器の使用方法に関する。
【背景技術】
【０００２】
本明細書で説明する各種折り畳み式反射器として、例えば、独国実用新案第２０２００４００１５２８Ｕ１号明細書に記載されたものがよく知られている。この反射器は、傘のように開くことができ、ベアリング本体に円状に接合された複数のリブによって反射キャノピー（ｒｅｆｌｅｃｔｉｎｇ  ｃａｎｏｐｙ）が開くように構成されている。
【０００３】
この反射器は、とりわけ、光波および／または音波である電磁波を反射させる役割を果たす。このような反射器は、例えば、写真撮影において照明用として用いられている。リブを有する傘状の構造によって、反射器を、搬送する際に折り畳むことができ、また、使用現場では開くことが可能となる。
【０００４】
一般に、傘を開く場合、かなりの力を加える必要があるため、骨の折れることが多く、比較的大型の傘の場合には、特に、顕著となる。
【先行技術文献】
【特許文献】
【０００５】
【特許文献１】独国実用新案第２０２００４００１５２８Ｕ１号明細書
【発明の概要】
【発明が解決しようとする課題】
【０００６】
したがって、本発明の課題は、傘または反射器が、その大きさに関係なく、一人の人間によって楽に開くことができ、再度楽に折り畳むことが可能な折り畳み式反射器を構築することである。特に、この折り畳み式反射器は、大きい力を加えずに開くことができ、再度折り畳むことが可能なように構成することである。
【課題を解決するための手段】
【０００７】
上記課題は、請求項１に記載の折り畳み式反射器によって解決される。この折り畳み式反射器は、ベアリング本体において円状に接合された複数のリブを有し、このリブによって反射器としての反射キャノピーがフルサイズまで開くことが可能となる。この折り畳み式反射器は、リブが、それらの接合部位に面する端部において接合部位を越えてそれぞれ延びており、これらのリブが、接合部位を越えて延びるリブの部分に作用が及ぶことによって、開いた位置と折り畳まれた位置とに移動可能となることによって特徴づけられる。
【０００８】
したがって、本発明における主要な態様は、独国実用新案第２０２００４００１５２８Ｕ１号明細書などに示されている、通常は開くためにリブに接続されている補強用リブの使用を完全に不要とし得ることである。このため、補強用リブの支えとして働く「傘のシャフト」も同様に不要となり、本発明では、従来技術とまったく異なる開放機構、すなわち、ベアリング本体におけるリブの接合部位を越えて延びるリブの部分に力の作用を及ぼすための手段を提供することによって、傘を開く機構が用いられている。この力の作用は、反射器における反射キャノピーと反対側のベアリング本体の側を介して及ぼされる。
【０００９】
したがって、反射器の傘を開くためには、ベアリング本体を越えて延びるリブの部分に作用を及ぼすのに適した機構を提供することが必要であり、その機構は、様々な方法で構築することができる。このため、補強用リブと傘のシャフトは不要となり、それによって反射器の傘は容易に開き、そのために必要な力の量は最小限にまで低減され得る。これにより、さらに、反射器の製造がより経済的となり、反射器には、アクセサリがフレキシブルな方法で接続され得る。とりわけ、補強用リブを有さない開放機構によって、光源を傘の先端などに移すことが可能となり、傘がパラボラ形である場合には、短い焦点距離を設定することができる。
【００１０】
なお、開いた傘の焦点は、その傘の先端のわずか前方に配置されることが好ましく、それによって光源は、写真撮影の上で必要な場合には、傘の先端に向かう方向において焦点を越えて移動してもよい。
【００１１】
本発明における第１の実施形態では、例えば、ベアリング本体を越えて延びるリブの部分に作用を及ぼすために、圧力リングの形態である圧力プレートを設けることができる。この圧力プレートまたは圧力リングとベアリング本体とは、互いに対して移動可能である。ベアリング本体と圧力プレートの間隔を縮めることにより、ベアリング本体を越えて突き出ているリブの部分にベアリング本体の方向における力を及ぼすことができる。
【００１２】
リブにおけるこれらの部分は、ベアリング本体と圧力プレートとの間で、特に、クランプされてそろえられていることが好ましい。ベアリング本体の方向において、リブの突出部分に力が及ぼされると、リブの突出部分がすぐにベアリング本体の方向に移動／回転し、その結果、ベアリング本体の接合点のまわりのリブの回転運動が放射状に内側へ行われ、反射器は、開いた機能的位置となるように動くことができる。
【００１３】
圧力プレートとベアリング本体との間の相対的な移動をもたらすために、これら２つの部品の間隔を変えるための作動デバイスを設けてもよい。この作動デバイスは、ガイドボルトを備え、このガイドボルトの一方は、ベアリング本体に取り付けられ、他方は、作動デバイスの起動がベアリング本体の方向におけるガイドボルトに沿う圧力プレートの移動をもたらすように、圧力プレートに取り付けられている。
【００１４】
この実施形態では、ベアリング本体は、決められた位置でガイドボルトに取り付けられている。さらに、この作動デバイスは、圧力プレートの移動を行う手動式のレバーを有してもよい。すべての作動手段は、電気的に構成してもよい。このように構成した場合、突き出ているリブの部分に対する作用は、「ボタンを押したとき」、自動的に、すなわち、機械的に及ぼされることとなる。
【００１５】
突き出ている複数のリブの部分に、それぞれが対応した、手動式の複数の作動デバイスが設けられていることが好ましい。これにより、ユーザによって加えられることになる力は最小限にまで減らすことが可能となる。さらに、圧力プレートによってリブの部分に、作用を及ぼすことにより、操作可能な従来の反射器と比べて、反射器を扱うことの容易さが向上する。
【００１６】
圧力プレートとベアリング本体との相対的な移動は、特に、電磁式駆動手段、空気圧式駆動手段、または油圧式駆動手段による機械式作動デバイスによって、行われるように構成してもよい。
【００１７】
反射器におけるベアリング本体は、環状、すなわち、ベアリングリングの形であることが好ましく、アダプタ部品、特に、写真撮影用にアクセサリを反射器に取り付けるためのアダプタフランジ（ａｄａｐｔｅｒ  ｆｌａｎｇｅ）を受け入れるように設計するのが好ましい。さらに、このようなアダプタ部品を、ベアリング本体と一体的に形成することも可能である。
【００１８】
アダプタ部品に取り付けることのできるアクセサリは、例えば、照明デバイス、焦点保持手段、または、写真撮影用の同様のアクセサリなどであってもよい。この場合、基本的には、スピーカまたはこれに類似するアクセサリなどである。
【００１９】
サウンドシステムの少なくとも一部が、間接的にアダプタ部品に接続されてもよい。このアダプタ部品は、中央に穴を有する環状であることが好ましい。アダプタ部品の外径は、ベアリングリングの内径と一致していることが好ましく、アダプタ部品の内径、よりおおまかに言えば、アダプタ部品における内側の断面形状は、取り付けられることになる特定の関連アクセサリに適合していてもよい。したがって、反射器は、実際に想定され得るあらゆる目的に向けて柔軟に用いることができ、任意の所望のアクセサリに迅速かつ容易に接続することができる。
【００２０】
光源用のロッド状の支持体は、長手方向に移動可能となるように、ベアリング本体を貫通して延びていることが好ましく、また、ベアリング本体、特に、アクセサリ部品に、アクセサリとして取り付けられることが好ましい。このロッド状の支持体は、傘の反射キャノピーの内側を同軸方向に、より好ましくは、開いた反射器の傘における長手方向の中心軸の方向に光源が移動し得るように、ベアリング本体を貫通して延びている。ロッド状の支持体の端面に光源が配置される場合、この光源は、開いた反射器における長手方向の中心軸の上に位置し得る。光源は、長手方向に移動可能となるようにロッド状の支持体の上に取り付けられることが、特に有利であり、基本的には、開いた反射器における長手方向の中心軸に沿った、反射器における、任意の所望の位置を想定することが可能である。
【００２１】
上述したように、本発明における第１の実施形態では、ベアリング本体における接合部位を越えて延びるリブの部分は、ベアリング本体と、圧力プレートまたは圧力リングとが、反射器の傘における開いた状態と折り畳まれた状態との両方においてベアリング本体における接合を保つように、ベアリング本体と、圧力プレートまたは圧力リングとの間で、クランプされて配置されており、これにより、反射器またはリブは、ベアリング本体から偶発的に滑り落ちることが防止される。
【００２２】
ベアリング本体は、環状であることが好ましく、また、リブを接合するためのスロットを有するのが好ましい。これらスロットは、ベアリング本体の中に放射状に配置され、ベアリング本体の周辺面に向かって開口している。ベアリング本体におけるリブの接合は、このように、非常に、シンプルであり、基本的には、いかなる追加の固定手段も必要としない。しかし、当然のことながら、ベアリング本体におけるリブの接合を保護するためにそのような手段が設けられてもよい。
【００２３】
本発明におけるさらなる実施形態では、ベアリング本体における接合部位を越えて延びるリブの部分に及ぼされる作用は、この部分の自由端に作用するケーブル、ロープ等によってもたらされてもよく、このケーブル、ロープ等によって上記の部分が放射状に内側へ引かれてもよい。この場合、それぞれのリブの突出部分が、ロープ、ケーブル等に対応していることが好ましい。しかし、基本的には、すべてのリブの突出部分を１本のケーブル、ロープ等につなぐことも可能であり、これにより、ケーブル、ロープ等に対する１回の引っ張りによって作用がもたらされる。この場合、特に、ベアリング本体の内側の方向に枢動する、ベアリング本体を越えて突き出ているリブの部分に及ぼされることになる力がもたらされる。ベアリング本体の内側の方向におけるリブの突出部分の枢動または回転運動は、反射キャノピーを伴うリブの部分が、放射状に内側へ枢動するため、これにより、反射器は開いた位置となるように動くこととなる。リブは、好適な手段によって、開いた位置で固定されてもよい。
【００２４】
リブがベアリング本体に確実に接合され、滑り落ちることを防止され、さらに、ベアリング本体を越えて突き出ているリブの部分に最適な作用が及ぼされることを確実なものとするために、当該部分は、リブの残り部分と比べて拡大した径を有する。突出部分の領域におけるリブの拡大した径は、リブの製造中に、できるだけ早く一体的に作られてもよい。あるいは、スリーブなどの追加の部品が、ベアリング本体を越えて突き出ているリブの部分に、特にクランプ、接着接合、または、ねじ留めされて取り付けられてもよい。
【００２５】
最後に、ベアリング本体は、スタンドに取り付けられてもよい。折り畳み式反射器は、固定手段を代替的または付加的に有してもよく、その固定手段によって、折り畳み式反射器は、特に天井から吊されてもよい。反射キャノピーは、反射キャノピーの外側の面に、リブを受け入れるための縫い目を有することも可能である。反射器は、少なくとも８本か１２本、特に１６本、好ましくは２４本のリブを有することができる。しかし基本的には、任意である他の所望数のリブが設けられてもよい。リブは、それら自体が、ガラス繊維強化プラスチック、炭素繊維強化プラスチック、および／または、特に鋼鉄である金属で作られていることが好ましい。
【００２６】
本発明における有利な実施形態では、作動デバイスは、ねじの切られたボルトに沿う圧力プレートの移動をもたらすことができる。この際、圧力プレートを移動させるための作動デバイスは、手動で操作されるプラネタリーギア、またはモータ駆動のプラネタリーギアの形態であることが好ましい。
【００２７】
さらに、別の実施形態では、作動デバイスは、外側のねじ山を有するガイドチューブを有してもよく、このガイドチューブは、ベアリング本体に回転しないように取り付けられているとともに、圧力プレートに回転可能に取り付けられた管状部品における内側にねじの切られた部分とともに動作するようにしてもよい。この管状部品は、ハンドルによって回転可能であることが好ましい。また、（電気）モータによる管状部品の機械的操作も可能である。
以下では、図面を参照して本発明をさらに詳細に説明する。
【図面の簡単な説明】
【００２８】
【図１】開いた位置における折り畳み式反射器の断面図である。
【図２】開いた位置における折り畳み式反射器の斜視背面図である。
【図３】開いた位置における折り畳み式反射器の背面図である。
【図４】折り畳まれた状態における折り畳み式反射器の概略断面図である。
【図５】折り畳まれた状態における折り畳み式反射器の細部を示す図である。
【図６】アダプタ部品の端面図である。
【図７】図６のアダプタ部品の斜視図である。
【図８】リブ接合ヘッドの下側面を示す図である。
【図９】図８のリブ接合ヘッドの斜視図である。
【図１０】ベアリング本体の斜視図である。
【図１１】照明デバイスが取り付けられた折り畳み式反射器の斜視図である。
【図１２】図１１の照明デバイスの斜視図である。
【図１３】スタンドに取り付けられた折り畳み式反射器の斜視背面図である。
【図１４】図１３の折り畳み式反射器のさらなる斜視背面図である。
【図１５】アダプタ部品の形態である保持デバイスを有する折り畳み式反射器の斜視前面図である。
【図１６】保持デバイスに取り付けられた照明デバイスを有する折り畳み式反射器の斜視前面図である。
【図１７】代替の照明デバイスを有する折り畳み式反射器の斜視前面図である。
【図１８】本発明におけるさらなる実施形態による折り畳み式反射器の斜視図である。
【図１９】さらなる実施形態による、開いた位置における折り畳み式反射器の斜視背面図である。
【図２０】さらなる実施形態による、折り畳まれた折り畳み式反射器の背面における平面図である。
【図２１】さらなる実施形態による、開いた位置における折り畳み式反射器の背面図である。
【図２２】さらなる実施形態による、開いた位置における折り畳み式反射器の断面図である。
【図２３】本発明におけるさらに別の実施形態による、折り畳まれた折り畳み式反射器の断面図である。
【図２４】さらなる実施形態による、開いた位置における折り畳み式反射器のさらなる断面図である。
【図２５】一体型のロッド状の支持部品を有する、開いた位置における折り畳み式反射器の断面図である。
【図２６】折り畳まれた状態における、図２６による折り畳み式反射器を示す図である。
【発明を実施するための形態】
【００２９】
図１は、本発明の一実施形態による、開いた状態（開いた位置）における、以降では単に反射器と呼ばれる折り畳み式の反射器１の斜視断面図を示す。この反射器１は、リブ５の助けによって開かれるように構成された反射キャノピー３を備える。反射キャノピー３は、反射キャノピー３にリブ５を取り付けるために、自身の外側の面などにリブ５を受け入れるための縫い目を有してもよい。このリブ５は、何らかの他の方法で反射キャノピー３に取り付けられてもよい。特に、とりわけ輪であり、好ましくはゴム製の輪である、リブを取り付けるための固定手段が反射キャノピー３の内側の面に設けられてもよい。
【００３０】
この場合、リブ５は、ベアリングの形態であるベアリング本体７に接合されており、接合部位に面している端部において、その接合部位を越えて延びている突出部分９を有する。この部分は、リブ接合ヘッドの形態であるか、または、そのようなリブ接合ヘッドを有する。したがって、このリブ５の突出部分９は、反射キャノピー３と反対側のベアリング本体７の面を越えて延びており、ベアリング本体７の接合点に対するリブ５の枢動を可能とする接合ヘッドを形成している。
【００３１】
図１に示されている実施形態では、ベアリング本体７は環状であり、放射状に延びているスロット１０を備える。これらの放射状のスロット１０によって、リブ５がベアリング本体７に円状に接合されることが可能となり、またこれらのスロット１０は、リブ５の受け入れを容易にするためにベアリング本体７の周辺面に向かって開口している。リブ５が、ベアリング本体７の上側、または、中側に対して接合されることによって回転可能に取り付けられる。このため、折り畳まれた位置から、図１に示されている開いた位置へのリブ５の移動が可能となる。
【００３２】
ベアリング本体７の中側に対するリブ５の接合の場合、特に、放射状の方向に細長くなっているベアリング本体７の、貫通ボアであるベアリング本体７の上において、または、ベアリング本体の中において円状に配置されたボアを設けることも可能となる。この場合、このボアによって、反射器１の反射キャノピー３に面しているベアリング本体７の面と、反射器１の反射キャノピー３から離れているべアリング本体７の面との接続、または、反射器１の反射キャノピー３と反対側のべアリング本体７の面との間の接続が行われ得る。しかし、基本的には、開いた位置と折り畳まれた位置とにリブ５が枢動できるようにベアリング本体７にリブ５の接合を行うことのできる他の方法も存在する。
【００３３】
図１に示されている本発明の実施形態では、圧力プレート、例えば、ベアリング本体７と実質的に同じ外径を有する圧力リング１１によってリブ５の突出部分９に力の作用が及ぼされる。この圧力リング１１は、ベアリング本体７と実質的に平行に配置されており、より具体的には、反射キャノピー３と反対側のベアリング本体７の面の上に配置されている。さらに、圧力リング１１は、複数のガイドボルト１３を介してベアリング本体７に取り付けられている。
【００３４】
ベアリング本体７と圧力リング１１とは、互いに対して移動可能であり、これにより、これら間隔が変わり得る。圧力リング１１の移動は、ガイドボルト１３とともに動作するか、または、ガイドボルト１３を備える作動デバイス１５によって行うことができる。このガイドボルト１３は、その一方がベアリング本体７に固定して取り付けられており、他方が圧力リング１１を貫通している。ベアリング本体７と反対側のガイドボルト１３の端部には、レバー１７（テンションレバー）が枢動可能に取り付けられている。このレバー１７は、ガイドボルト１３における長手方向の軸Ｌに対して、実質的に垂直に位置合わせされた枢動軸Ｓのまわりを手動によって枢動し得る。
【００３５】
レバー１７は、ハンドル部分１７ａとカム部分１７ｂとを有する。ユーザは、このハンドル部分１７ａによって、レバー１７を枢動軸Ｓのまわりに、ベアリング本体７に対して、放射状に、外側へ向けて枢動させることができる（矢印１８を参照）。このため、湾曲状またはウォーム状（ｗｏｒｍ−ｌｉｋｅ）の、偏心した、カム部分１７ｂを形成するレバー１７の突起が、矢印１８の方向におけるレバー１７のさらなる枢動によって、圧力リングが、ガイドボルト１３に沿ってベアリング本体７の方向にさらに移動するように、圧力リング１１の上に押し付けられる。図１では、レバー１７は、レバー１７の戻り止め面（ｄｅｔｅｎｔ  ｆａｃｅ）１７ｃが、圧力リング１１、または、好ましくは環状である、好適な介在部品の上に乗っている最終的な枢動位置で示されている。すべてのレバー１７が、上記の最終的な枢動位置にある場合、反射器１は、開いた位置に配置されるようになっている。
【００３６】
図２は、開いた位置における反射器１の斜視図である。図２に示される開いた位置に反射器１がある場合、レバー１７は、ハンドル部分１７ａが、リブ５と実質的に平行に配置される最終的な枢動位置にある。レバー１７における、この最終的な枢動位置では、カム部分１７ｂは、ベアリング本体７の方向における最大距離の分だけ圧力リング１１を押圧する。図１および図２に示されている反射器１における開いた位置において、圧力リング１１とベアリング本体７との間隔は、最小となる。特に、開いた位置では、圧力リング１１は、ベアリング本体７の上面にほぼ乗っている。
【００３７】
作動デバイス１５のそれぞれは、複数のリブ５に対応していること、言い換えれば、１つのレバー１７または作動デバイス１５の操作によって、存在する複数のリブ５の、それらの開いた位置への移動がもたらされることが好ましい。図２は、合計４個の作動デバイス１５を示している。作動デバイス１５の数は異なっていてもよく、特に、４個より多い数の作動デバイス１５が設けられてもよく、または、４個より少ない数の作動デバイス１５が設けられてもよい。
【００３８】
上述したように、圧力プレートは、矢印１８の方向、すなわち、ベアリング本体７に対して放射状に外側へレバー１７を枢動させることにより、ベアリング本体７の方向に押圧される。圧力リング１１の移動中は、ベアリング本体７の接合点においてリブ５が枢動するように、接合されたリブ５の突出部分９に力が及ぼされ、それによってリブ５は、ベアリング本体７に対して放射状に、内側に向けて、すなわち、接合点のまわりを矢印１９の方向に向けて回転する。これにより、リブ５は、開いた位置に移動し、レバー１７の戻り止め面１７ｃの助けによって、開いた位置で固定される。
【００３９】
図３は、反射器１の背面図を示す。環状のアダプタ部品２３が差し込み可能な開口部Ａを、ベアリング本体７が形成していることがわかる。このアダプタ部品２３は、ベアリング本体７にねじ留め、溶接、もしくは、接着により接合されてもよく、または何らかの他の方法で、ベアリング本体７に取り付けられてもよい。基本的には、アダプタ部品２３と一体化して、ベアリング本体７を形成することも可能である。このアダプタ部品２３は、後で詳述するが、（図１および図２には示されていない）任意の所望のアクセサリ部品を受け入れ、または、これを着脱可能に取り付ける役割を果たす。
【００４０】
図６は、アダプタ部品２３の端面図を示す。この実施形態では、アダプタ部品２３は、例えば、アダプタ部品をベアリング本体７にねじ留めするための複数の孔２４を有し、ベアリング本体７は、ねじを受けるための対応する穴を有している。したがって、アダプタ部品は、交換可能であり、これにより、反射器に取り付けられる様々なアクセサリ部品に、様々なアダプタ部品を用いることができる。
【００４１】
図７は、アダプタ部品２３の斜視図を示す。このアダプタ部品２３は、例えば、バヨネット・クロージャ（ｂａｙｏｎｅｔ  ｃｌｏｓｕｒｅ）と同様に、照明デバイスなどのアクセサリ部品を取り付ける役割を果たす、この図では、回転対称となるように配置された２つの突起２６を有していることがわかる。
【００４２】
図４および図５は、本発明による、折り畳まれた状態における反射器１を示す。同じ部品には同じ参照記号が与えられているため、その点において、繰り返しを避けるために図１に関する説明への参照がなされている。
【００４３】
図１で示された、開いた位置とは対照的に、図４におけるレバー１７は、圧力リング１１が、リブ５の突出部分９に対して効力を有していない（力が作用していない）か、または、無視できるほどの効力しか有していない（力しか作用していない）枢動位置にある状態を示している。開く動作を容易にするために、圧力リング１１に一定量のバイアスを加える目的で、圧力リング１１とレバー１７との間にバイアス部品が設けられてもよい。この場合のバイアス部品は、例えば、圧縮ばねＦのような形態である。ハンドル部分１７ａは、図１に示される最終的な枢動位置（反射器１における開いた位置）から図４に示されている枢動位置（反射器１における折り畳まれた位置）に移動するために、矢印１９の方向に、すなわちベアリング本体７に対して放射状に、内側へ向けて、枢動軸Ｓのまわりに枢動する必要がある。
【００４４】
図４に示されている機能的な位置において、反射器１の中心軸Ｍの方向における、圧力リング１１と、ベアリング本体７の端面２１との間隔は、図１に比べて著しく大きくなっている。したがって、この機能的位置では、ベアリング本体７を越えて突き出ているリブ５の突出部分９には、クランプ力が及ぼされていないか、または極めてわずかなクランプ力しか及ぼされていない（作用していない）。この突出部分９に対する効力の低減により、リブ５は、接合点において矢印１８の方向に枢動することができ、ベアリング本体７に対して、放射状に、外側へ向けて枢動することができる。これにより、反射器１は、搬送可能な折り畳まれた機能的位置となる。
【００４５】
これらの図に示されている本発明の実施形態は、あくまで例であり、リブの突出部分９及び対応する手段に対して押圧力または引張力を及ぼすために、ベアリング本体７の方向において、モータ駆動式／機械式による圧力リング１１の移動を行うことも可能である。とりわけ、圧力リング１１の移動は、油圧式手段、空気圧式手段、電磁式手段である電気式手段によって行われてもよい。
【００４６】
空気圧的、油圧的に、または、電気的に、特に、電磁アクチュエータによって機械的に（自動的に）生み出される、開いた位置または折り畳まれた位置に反射器１を移動させるために、突出部分９に及ぼされる作用に対しては、本発明における第１の例示的実施形態による圧力リングと関係なくてもよい。この突出部分９が機械的に動作する場合には、たとえばバッテリー、電源端子などの、エネルギー供給デバイスを用いるのが好ましい。
【００４７】
別の実施形態によれば、ベアリング本体７における接合部位を越えて延びているリブ５の突出部分９に及ぼされる作用が、この突出部分９の自由端に作用するケーブル、ロープ等によってもたらされる。これにより、上記突出部分９が、放射状に、内側へ向けて引かれ得る場合には、そのケーブル、ロープ等の操作は手動によって、または機械的に同様に行われ得る。例えば、モータ駆動もしくは手動によって操作可能な、ロープ巻き上げ機、または、たとえばベアリング本体７に取り付けられるか、もしくは、ベアリング本体７と一体的に形成された、同様の作動デバイスを設けることも可能である。また、それぞれの突出部分９と、この突出部分９につながれているケーブル、ロープ等に、電気モータによって駆動される「小型ロープ巻き上げ機」が設けられてもよい。
【００４８】
本発明におけるさらに有利な他の実施形態において、ベアリング本体７を越えて延びているリブ５の突出部分９に及ぼされる作用は、リレーまたは接触器と同様な、１つもしくは複数の磁石クランプまたは釣上磁石による電磁式手段によってもたらされてもよい。この電磁式手段は、励起状態においてリブ５がベアリング本体７における接合点のまわりを、開いた位置に移動するように、磁力によって突出部分９を引き寄せる１つまたは複数のコイル本体をベアリング本体７に配置することによって実現することができる。コイル本体が非励起状態にある場合には、リブ５は折り畳まれた状態となり得る。したがって、この実施形態では、ベアリング本体７と突出部分９とは、互いに電磁アクチュエータを形成している。
【００４９】
重要なことは、単に、ベアリング本体７の接合部位を越えて突き出ている突出部分９に及ぼされた作用によって、開いた位置と折り畳まれた位置とにリブ５が移動可能となるように、上記の作用が突出部分９に及ぼされることである。したがって、本発明による反射器１は、リブ５がベアリング本体７における接合点（この場合にはスロット１０）のまわりをベアリング本体７に対して放射状に内側へ枢動するように、突出部分９が動作することによって開く。
【００５０】
また、図１、図４、および図５に示すように、この突出部分９が、リブ５の残り部分に比べて大きい径を有していることが明らかであり、このことは、一方では、ベアリング本体７におけるベアリング位置からリブ５が滑り落ちることを防止するように考えられ、他方では、この突出部分９に効力を及ぼすために大きい表面積を提供している。上述したように、径の大きさは様々な方法でもたらされ得る。
【００５１】
図８および図９は、拡大した突出部分９を有するリブ５の詳細図を示す。この突出部分９は、この突出部分９と一体的に形成され、２つのシャフト部分８を有するのが好ましい。これらのシャフト部分８は、突出部分９の対向する側面１２に対して垂直に配置され、ベアリング本体７に対してリブ５を取り付ける役割を果たす。したがって、これら２つのシャフト部分８は、共通の軸の上に位置しており、このようにして回転軸Ｄを形成している。このように、リブ５の突出部分９は、移動可能に取り付けられた力の伝達部品、または、圧力部品として働く。
【００５２】
図１０に示すように、突出部分９におけるシャフト部分８は、ベアリング本体７の中に対応して形成された、くぼみ１４に収容されるように設計されている。したがって、２つのくぼみ１４は、リブ５における２つのシャフト部分８に対するベアリングをそれぞれ形成する。２つのくぼみ１４は、それぞれ、スロット１０に対して、そろっていることがわかる。これらのくぼみ１４は、反射キャノピー３から離れているベアリング本体の面における、平行六面体の硬質のベアリングブロック１６の中に配置され、端面２１からベアリングブロックの中に延びている。さらに、ベアリング本体７の縁にあるへこみ２０によって、ベアリング本体７の突出部分９に対するさらなる支持が行われる。これは、大きい断面からなる突出部分９がへこみ２０を通って滑り落ちることのないように、へこみ２０がリブ５の径と一致しているためである。ただし、スロット１０の幅ｂ、すなわち、２つのベアリングブロック１６の間隔は、突出部分９の幅ｂ’と一致している必要があることが理解されよう。さらに、へこみ２０、スロット１０、および、くぼみ１４は、これらの寸法が反射器１を十分に折り畳むことができるように、対向配置されるか、またはそろえられている必要がある。この状態で、リブ５は、ベアリング本体７の端面２１に対して実質的に垂直にそろえられる。
【００５３】
図１１は、アクセサリ部品２５が設けられた反射器１の斜視背面図を示す。このアクセサリ部品２５は、たとえば照明デバイスの形態であり、反射器１の背面から反射器１の内部に突き出ている。アクセサリ部品２５は、反射器１のアダプタ部品２３（図６および図７）に接続されることが好ましく、このため、図１２に示すように、アダプタ部品２３の突起２６を受け入れるため、対応する位置にくぼみ３７を有していることが好ましい。
【００５４】
図１３〜図１５は、本発明による、開いた反射器１における様々な斜視図を示す。この反射器１には、図６および図７で示されたアダプタ部品２３に取り付けられた、アクセサリ部品２５が設けられている。このアクセサリ部品２５は、「フォーカスチューブ」とも呼ばれる、ロッド状の支持体２９であり、この支持体２９に取り付けられた保持デバイス２７を有している。このロッド状の支持体２９または保持デバイス２７は、様々な光源を受けるためのインターフェースまたはアダプタとして機能することが可能である。したがって、光源は、このロッド状の支持体２９の端面における保持デバイス２７の上に配置されることが好ましい。これにより、光源は、開いた反射器１における長手方向の中心軸の上に位置することとなる。光源は、ロッド状の支持体２９によって、開いた反射器１における長手方向の中心軸Ｍに沿って長手方向に移動可能となるように取り付けられることが好ましい。別の可能性として、特に、保持デバイス２７によって、ロッド状の支持体２９の上で長手方向に移動可能となるように光源を取り付けることが考えられる。この場合、光源は、保持デバイス２７とともにロッド状の支持体２９の上を移動可能となるように取り付けられることが好ましい。
【００５５】
調整可能な保持手段３１は、スタンド３３への反射器１の接続を可能にする。この場合、保持手段３１は、スタンド接続用の管を有する。さらに、この保持手段３１は、傘傾斜用部品の形態であることが好ましく、スタンド３３に対する反射器１の位置合わせを行うための、特に、垂直方向および／または水平方向に傾斜／枢動させるための、ジョイントの形態であることが好ましい。
【００５６】
図１６および図１７は、図１５に示されている保持デバイス２７、または、何らかの他の好適なデバイスによって、ベアリング本体７またはアダプタ部品２３に接続された、さらなる照明デバイス３５を示す。
【００５７】
図１８〜図２３は、圧力リング１１である圧力プレートによって、同様に、リブ５の突出部分９に力の作用が及ぼされる本発明のさらなる実施形態を示す。この実施形態では、図１〜図１７による実施形態とは対照的に、圧力リング１１を移動させるための別の機構が設けられている。この実施形態では、特に、圧力リングを移動させるための、手動で操作可能なレバーは設けられておらず、その代わりに、ギアホイールからなるプラネタリーギア状の作動デバイス１５が設けられている。
【００５８】
図１８は、閉じた状態における反射器１の斜視図を示す。なお、同じ部品には、同一の符号を付与し、重複した説明を省略する。
【００５９】
圧力プレートを移動させるための作動デバイス１５は、上記の通りプラネタリーギア状の構成からなっており、内側に配置される、比較的大型の大型ギアホイール４１と噛み合う、外側に配置される、比較的小型の４個の小型ギアホイール３９ａ〜３９ｄを備えている。小型ギアホイール３９ａは、手回しすることが可能なクランク４３によって手動で駆動される。この小型ギアホイール３９ａは、（電気）モータ駆動手段などによって駆動されてもよいことが理解されよう。クランク４３の操作時には、小型ギアホイール３９ａの回転によって、大型ギアホイール４１の回転がもたらされ、これにより、残りの小型ギアホイール３９ｂ、３９ｃ、および３９ｄが回転状態となる。
【００６０】
小型ギアホイール３９ａ〜３９ｄは、それぞれ、ねじが切られたボルト４５における外側のねじ山とともに動作する、内側のねじ山を有する。ねじが切られたボルト４５は、図１〜図１７による第１の実施形態における、ガイドボルト１３と同様に、ベアリング本体７に取り付けられ、圧力プレートにおける、対応する貫通ボアを貫通して突き出ている。このねじが切られたボルト４５は、圧力プレートにおけるベアリング本体７と反対の側で、小型ギアホイール３９ａ〜３９ｄにおける内側のねじ山と噛み合っている。
【００６１】
大型ギアホイール４１および小型ギアホイール３９ａ〜３９ｄは、ともに固定されていることが好ましいが、圧力プレートに、回転可能に接続されていることが好ましい。プラネタリーギアは、ハウジング４７によって囲まれ、クランク４３は、小型ギアホイール３９ａの操作を可能とするためにハウジング４７の外側に配置されている。
【００６２】
図１８に示されている駆動機構の動作モードは、以下の通りである。クランク４３の操作によって、小型ギアホイール３９ａの回転運動がもたらされ、この回転運動は、上述したように、大型ギアホイール４１の回転と、大型ギアホイール４１の回転によるさらなる小型ギアホイール３９ｂ〜３９ｄの回転とを生じさせる。ギアホイールを伴う（による）圧力プレートの移動は、クランク４３が回転する方向に応じて、ベアリング本体７の方向か、または、ベアリング本体７から離れる方向のいずれかに向けて行われる。ベアリング本体７の方向における圧力プレートの移動は、突出部分９に及ぼされる力を引き起こし、その結果、図１９に示されているように、折り畳み式の反射器１は開いた位置に移動する。図１〜図１７による実施形態と同様に、プラネタリーギアによる圧力プレートに移動は、リブ５の突出部分９に作用する力を引き起こす。この点、本実施形態は、圧力プレートにおける移動機構の構成においてのみ異なっている。さらに、図１８および図１９では、圧力プレートに取付可能な傘保持手段４９が設けられている。なお、この傘保持手段４９は、圧力プレートと一体的に形成することも可能である。
【００６３】
図２０は、プラネタリーギアの形態を示す、図１８および図１９の作動デバイス１５の背面平面図を示す。図２０に示すように、大型ギアホイール４１と噛み合っている小型ギアホイール３９ａ〜３９ｄがはっきりと見られる。さらに、大型ギアホイール４１の中央に開口した開口部５１が見られ、この開口部は、図１８および図１９で示されたロッド状の支持体２９を受け入れるように働く。本実施形態によるプラネタリーギアを実現するために、４個より多い小型ギアホイール、または、４個より少ない小型ギアホイールが用いられてもよいことが理解されよう。反射器のサイズ、特に、リブの数に応じて、４個より多い小型ギアホイール、または、４個より少ない小型ギアホイールが設けられてもよい。
【００６４】
図２１は、開いた位置にある折り畳み式の反射器１における第２の実施形態によるプラネタリーギアの背面平面図を示す。図２１に示すように、図２０による折り畳まれた反射器１とは対照的に、圧力プレートが、ギアホイールとともにベアリング本体７の方向に移動することができるように構成され、これにより、ねじの切られたボルト４５が、ベアリング本体７及びと反対側の圧力プレートの面をさらに越えて突き出ていることがわかる。さらに、図１８および図１９に見られるハウジング４７に圧力プレートを取り付けるための接続ピン５３を設けることも可能である。
【００６５】
図２２は、開いた位置における、図１８〜図２０の実施形態における折り畳み式の反射器１の断面図を示す。図２２では、小型ギアホイール３９ａ〜３９ｄが、ねじの切られたボルト４５から完全に抜けた状態になることを防ぐため、ねじの切られたボルト４５が、ベアリング本体７から離れている端部５５において留め具５７を有していることがわかる。この留め具５７は、ハウジング４７が設けられていない場合、特に必要となる。
【００６６】
図２３〜図２６は、本発明におけるさらなる実施形態を示し、圧力プレートを移動させるための別の機構を開示する。なお、同じ部品には、同一の符号を付与し、重複した説明を省略する。
【００６７】
この実施形態において、圧力プレートを移動させるための作動機構は、内部にねじの切られた部分６１を有する管状部品５９を有している。管状部品５９の内部に形成されたねじの切られた部分６１は、ガイドチューブ６５における外側のねじ山６３とともに動作するようになっている。このガイドチューブ６５は、ベアリング本体７に面する端部において、ベアリング本体７に取り付けられていることが好ましい。また、管状部品５９は、ねじの切られたスリーブの形態であることが好ましい。
【００６８】
ガイドチューブ６５および管状部品５９は、ロッド状の支持体２９’を移動可能に取り付けるための役割を同時に果たす。なお、支持体２９’は、一体的に構成されるのが好ましい。
【００６９】
この管状部品５９は、一方の端部が圧力プレートに回転可能に取り付けられている。これは、管状部品５９が、圧力プレートに対して、軸方向に移動しないように、管状部品５９を取り囲む接続部品６７によって実現される。このため、この接続部品６７は、圧力プレートに、特にねじ留めされて取り付けられている。管状部品５９は、他方の端部に、管状部品５９に対して回転しないように取り付けられたハンドル４４が設けられている。このハンドル４４は、折り畳み式の反射器１を開くために、管状部品５９がガイドチューブ６５に対して回るように動作する必要がある。管状部品５９の内部にねじの切られた部分６１と、ガイドチューブ６５の外側のねじ山との連携によって、管状部品５９を伴う圧力プレートの移動がもたらされる。圧力プレート及び管状部品５９は、ハンドル４４が回される方向に応じて、ベアリング本体７の方向か、または、ベアリング本体７から離れる方向のどちらかに移動する。ハンドル４４は、基本的には（電気）モータ駆動手段などによって置き換えられてもよいことが理解されよう。
【００７０】
図２４は、開いた機能的位置における折り畳み式の反射器１を示す。この機能的位置では、ハンドル４４、および、ハンドル４４を有する管状部品５９は、圧力プレートがベアリング本体７の方向に最大距離だけ移動するまで回されているようになっている。さらに、この状態で、リブ５の突出部分９には、最大の力が及ぼされる。
【００７１】
図２３および図２４は、圧力プレート及び傘保持手段４９の一体型構成のさらなる例を明確に示している。
【００７２】
作動機構における、この実施形態では、ロッド状の支持体２９’は、一体型の構造であることが好ましい。これにより、折り畳まれた状態では、ロッド状の支持体２９’を折り畳み式の反射器１の中に十分に押し込むことができる。ロッド状の支持体２９’の一方の端部に設けられる保護キャップ６９は、ロッド状の支持体２９’が、管状部品５９の中に完全にかくれるのを防ぐ。図２３では、管状部品５９が、ロッド状の支持体２９’を導く役割を果たすことも明らかである。ロッド状の支持体２９’が、図２３に示された位置にある場合、すなわち、保護キャップ６９が管状部品５９に当接している場合には、ハンドル４４はユーザによって手動で容易に操作され得る。
【００７３】
図２５および図２６は、一体型構造におけるロッド状の支持体２９’の有利な変形形態を示す。前述した２つの管からなるロッド状の支持体２９を備えた実施形態と比べると、ロッド状の支持体２９’が、折り畳み式の反射器１の中に十分に移動することが可能であり、このことは、図２６に明確に示されているように、折り畳まれた折り畳み式の反射器１の搬送を特に容易にすることができる。また、前述した実施形態の場合と同様に、ロッド状の支持体２９’は、様々な照明デバイスに接続されてもよい。
【００７４】
このように、本発明は、ユーザが、反射器１を簡単に開けることができるとともに簡単に折り畳めることができ、さらに、製造が、経済的である有利な機構を提供する。また、本発明は、補強用リブ、および、補強用リブを支える役割を果たす傘のシャフトを用いずに、反射器１が開くことができ、また、反射器１が折り畳まれることとを可能にするため、反射器１の傘に、アクセサリを取り付けるための、相当に広い範囲を提供することができる。さらに、アダプタ部品２３によって、任意の所望の位置に、アクセサリを、反射器１に簡単に取り付けることが可能となる。その上、アダプタ部品２３は、説明されたすべての実施形態に関係する用途に好適に用いることができる。
【符号の説明】
【００７５】
１  反射器
３  反射キャノピー
５  リブ
７  ベアリング本体
８  シャフト部分
９  突出部分
１０  スロット
１１  圧力リング
１２  側面
１３  ガイドボルト
１４  くぼみ
１５  作動デバイス
１６  ベアリングブロック
１７  レバー
１７ａ  ハンドル部分
１７ｂ  カム部分
１７ｃ  戻り止め面
１８  矢印
１９  矢印
２０  へこみ
２１  端面
２３  アダプタ部品
２４  孔
２５  アクセサリ部品
２６  突起
２７  保持デバイス
２９、２９’  ロッド状の支持体
３１  保持手段
３３  スタンド
３５  照明デバイス
３７  くぼみ
３９ａ〜３９ｄ  小型ギアホイール
４１  大型ギアホイール
４３  クランク
４４  ハンドル
４５  ねじの切られたボルト
４７  ハウジング
４９  傘保持手段
５１  開口部
５３  接続部品
５５  端部
５７  留め具
５９  管状部品
６１  内部にねじの切られた部分
６３  外側のねじ山
６５  ガイドチューブ
６７  接続部品
６９  保護キャップ
Ｆ  バイアス部品（ばね）
Ｄ  回転軸
Ｓ  枢動軸
Ｍ  中心軸
Ｌ  長手方向の軸
Ａ  開口部
ａ  間隔
ｂ  幅（スロット１０）
ｂ’  幅（突出部分９）
【図１】
2014516424.tif 000003
【図２】
2014516424.tif 000004
【図３】
2014516424.tif 000005
【図４】
2014516424.tif 000006
【図５】
2014516424.tif 000007
【図６】
2014516424.tif 000008
【図７】
2014516424.tif 000009
【図８】
2014516424.tif 000010
【図９】
2014516424.tif 000011
【図１０】
2014516424.tif 000012
【図１１】
2014516424.tif 000013
【図１２】
2014516424.tif 000014
【図１３】
2014516424.tif 000015
【図１４】
2014516424.tif 000016
【図１５】
2014516424.tif 000017
【図１６】
2014516424.tif 000018
【図１７】
2014516424.tif 000019
【図１８】
2014516424.tif 000020
【図１９】
2014516424.tif 000021
【図２０】
2014516424.tif 000022
【図２１】
2014516424.tif 000023
【図２２】
2014516424.tif 000024
【図２３】
2014516424.tif 000025
【図２４】
2014516424.tif 000026
【図２５】
2014516424.tif 000027
【図２６】
2014516424.tif 000028
【国際調査報告】
2014516424.tif 000029
2014516424.tif 000030
2014516424.tif 000031
2014516424.tif 000032
2014516424.tif 000033
2014516424.tif 000034